(57)【要約】【課題】  撮影により得られた画像と、その撮影に用いられたＦＰＤとを関連づけることで、画像に不具合が生じた場合に、当該画像に対応するＦＰＤを早急に特定し、不具合に対する処置の迅速化を図る。【解決手段】  この放射線撮影システムは、被写体の放射線画像情報を取得する放射線画像検出装置と、被写体の放射線画像を表示する画像表示装置とが所定の通信回線を介して接続されている。そして、放射線画像検出装置には、当該放射線画像検出装置を識別するための識別情報を記憶する個別情報記憶部が設けられている。放射線画像検出装置は、当該放射線画像検出装置の前記個別情報記憶部に記憶された識別情報を、当該放射線画像検出装置が取得した被写体の前記放射線画像情報に対応付ける処理を行う。【選択図】図１
2006087682.tif 000002
【特許請求の範囲】
【請求項１】
被写体の放射線撮影に際し放射線照射手段から照射されて少なくとも前記被写体を透過した放射線を検出し、当該放射線を電気信号に変換して蓄積する平面状の放射線検出部を有し、当該放射線検出部に蓄積された電気信号を読み出して前記被写体の放射線画像情報を取得する放射線画像検出装置と、
前記放射線画像で得られた前記放射線画像情報を表示可能な表示装置とを備え、
前記放射線画像検出装置と前記表示装置とが通信回線により接続されてなる放射線撮影システムであって、
前記放射線画像検出装置には、当該放射線画像検出装置の個別情報を記憶する個別情報記憶部を有し、前記個別情報記憶部には、少なくとも前記放射線画像検出装置に個別に付与された識別情報が記憶されており、
前記放射線画像検出装置は、当該放射線画像検出装置の前記個別情報記憶部に記憶された識別情報を、当該放射線画像検出装置が取得した被写体の前記放射線画像情報に対応付ける処理を行うことを特徴とする放射線撮影システム。
【請求項２】
請求項１記載の放射線撮影システムにおいて、
前記個別情報記憶部に前記識別情報に加えて前記個別情報が記憶されている場合、前記放射線画像検出装置は、前記個別情報記憶部に記憶された前記識別情報と、前記個別情報の少なくとも一部とを、当該放射線画像検出装置が取得した被写体の前記放射線画像情報に対応付ける処理を行うことを特徴とする放射線撮影システム。
【請求項３】
請求項２記載の放射線撮影システムにおいて、
前記個別情報は、撮影日時、撮影者、撮影条件、被写体情報の少なくとも１つであることを特徴とする放射線撮影システム。
【請求項４】
請求項１〜３のいずれか一項に記載の放射線撮影システムにおいて、
前記放射線画像検出装置は、前記対応付けの処理として、当該放射線画像検出装置の前記個別情報記憶部に記憶された識別情報を、当該放射線画像検出装置による前記放射線画像情報の取得と同時又は取得完了後又は出力時に、前記放射線画像情報の付帯情報とすることを特徴とする放射線撮影システム。
【請求項５】
被写体の放射線撮影に際し放射線照射手段から照射されて少なくとも前記被写体を透過した放射線を検出し、当該放射線を電気信号に変換して蓄積する平面状の放射線検出部と、
個別情報を記憶する個別情報記憶部と、
当該放射線検出部に蓄積された電気信号を読み出して前記被写体の放射線画像情報を取得する制御部とを備え、
前記個別情報記憶部には、少なくとも前記放射線画像検出装置に個別に付与された識別情報が記憶されており、
前記制御部は、前記個別情報記憶部に記憶された識別情報を、前記放射線画像情報に対応付ける処理を行うことを特徴とする放射線画像検出装置。
【請求項６】
請求項５記載の放射線画像検出装置において、
前記個別情報記憶部に前記識別情報に加えて前記個別情報が記憶されている場合、前記制御部は、前記個別情報記憶部に記憶された前記識別情報と、前記個別情報の少なくとも一部とを、前記放射線画像情報に対応付ける処理を行うことを特徴とする放射線画像検出装置。
【請求項７】
請求項６記載の放射線画像検出装置において、
前記個別情報は、撮影日時、撮影者、撮影条件、被写体情報の少なくとも１つであることを特徴とする放射線画像検出装置。
【請求項８】
請求項５〜７のいずれか一項に記載の放射線画像検出装置において、
前記制御部は、前記対応付けの処理として、前記個別情報記憶部に記憶された識別情報を、前記放射線画像情報の取得と同時又は取得完了後又は出力時に、前記放射線画像情報の付帯情報とすることを特徴とする放射線画像検出装置。
【発明の詳細な説明】
【技術分野】
【０００１】
本発明は、放射線撮影システム及び放射線画像検出装置に係り、特に、Ｘ線画像に代表される放射線画像を撮影する放射線撮影システム及び放射線画像検出装置に関する。
【背景技術】
【０００２】
従来より、医療診断にあっては、被写体にＸ線等の放射線を照射し、当該被写体を透過した放射線の強度分布を検出して得られた放射線画像が広く利用されており、近年では、撮影に際し放射線を検出して電気信号に変換し、放射線画像情報として蓄積するＦＰＤ（Flat Panel Detector）を用いた放射線撮影システムが提案されている。
【０００３】
この放射線撮影システムにあっては、システム構成の自由度を向上させる上で、撮影室に配設されたＦＰＤを所定の通信回線を介して画像処理を行うためのＰＣ（Personal Computer）等の所定の画像処理装置と接続して使用するように構成されたものが知られている（例えば、特許文献１参照）。
また、ＦＰＤの運搬性・取扱い性の向上を目的として当該ＦＰＤをカセッテに収容したカセッテ型ＦＰＤも開発されている（例えば、特許文献２参照）。さらに、カセッテ型ＦＰＤと画像処理装置とが無線方式により放射線画像情報等の各種情報を通信可能にシステム構成されたものも提案されている（例えば、特許文献３参照）。
【０００４】
ところで、放射線撮影後には、一般的に、撮影が適正に行われたか否かを確認する必要があり、上記の放射線撮影システムにあっては、画像表示装置に放射線画像を表示するようになっている。例えば、上記特許文献１におけるＦＰＤと画像処理装置とがシステム専用の通信回線を介して接続された構成のものにあっては、放射線画像情報をＦＰＤから画像処理装置に送信して、画像処理装置にて受信された放射線画像に基づいて作成されたサムネイル画像等の縮小画像を画像表示装置に表示することにより、撮影状態の確認を行うことができるようになっている。
【０００５】
しかしながら、ＦＰＤと画像処理装置とをシステム専用の通信回線を介して接続する構成とすると、システム構成の自由度が低くなってしまうため、ＦＰＤと画像処理装置とをイーサネット（Ethernet；登録商標）等の既存のネットワークを介して接続するシステムの構築が考えられるが、この場合、放射線画像情報の通信に時間がかかり、撮影状態の確認を撮影後即座に行うことが困難となる。
そこで、ＦＰＤにおいては、放射線画像情報よりも情報量の少ない縮小画像情報を作成した後、作成された縮小画像情報を画像処理装置に送信して、画像表示装置に縮小画像を表示するシステム構成のものが提案されている。
【特許文献１】特開２００３−１９９７３６号公報
【特許文献２】特開平６−３４２０９９号公報
【特許文献３】特開２００３−２１０４４４号公報
【発明の開示】
【発明が解決しようとする課題】
【０００６】
ところで、上記したようなＦＰＤと画像処理装置とがネットワークを介して接続された放射線撮影システムであると、そのネットワーク上においては各ＦＰＤが様々な箇所で使用されるために、撮影により得られた画像が、どのＦＰＤによって撮影されたのかを特定することが困難である。このため、画像に不具合が発生した場合に、その画像に対応したＦＰＤの特定に時間がかかってしまい、不具合に対する処置を迅速に行えないおそれがあった。
【０００７】
本発明の課題は、撮影により得られた画像と、その撮影に用いられたＦＰＤとを関連づけることで、画像に不具合が生じた場合に、当該画像に対応するＦＰＤを早急に特定し、不具合に対する処置の迅速化を図ることである。
【課題を解決するための手段】
【０００８】
請求項１記載の発明は、
被写体の放射線撮影に際し放射線照射手段から照射されて少なくとも前記被写体を透過した放射線を検出し、当該放射線を電気信号に変換して蓄積する平面状の放射線検出部を有し、当該放射線検出部に蓄積された電気信号を読み出して前記被写体の放射線画像情報を取得する放射線画像検出装置と、
前記放射線画像で得られた前記放射線画像情報を表示可能な表示装置とを備え、
前記放射線画像検出装置と前記表示装置とが通信回線により接続されてなる放射線撮影システムであって、
前記放射線画像検出装置には、当該放射線画像検出装置の個別情報を記憶する個別情報記憶部を有し、前記個別情報記憶部には、少なくとも前記放射線画像検出装置に個別に付与された識別情報が記憶されており、
前記放射線画像検出装置は、当該放射線画像検出装置の前記個別情報記憶部に記憶された識別情報を、当該放射線画像検出装置が取得した被写体の前記放射線画像情報に対応付ける処理を行うことを特徴としている。
【０００９】
請求項１記載の発明によれば、ＦＰＤとしての放射線画像検出装置が、当該放射線画像検出装置の個別情報記憶部に記憶されている識別情報を、放射線画像情報に対応付ける処理を行っているので、放射線画像情報が通信回線を介して出力されたとしても、出力先で識別情報を調べれば、この放射線画像情報を取得した放射線画像検出装置を特定することができる。このように、撮影により得られた放射線画像情報と、その撮影に用いられた放射線画像検出装置とが識別情報によって対応付けされていれば、放射線画像情報に不具合が生じた場合に、当該放射線画像情報に対応する放射線画像検出装置を早急に特定でき、結果として不具合の対処を迅速に行うことができる。
【００１０】
請求項２記載の発明は、請求項１記載の放射線撮影システムにおいて、
前記個別情報記憶部に前記識別情報に加えて前記個別情報が記憶されている場合、前記放射線画像検出装置は、前記個別情報記憶部に記憶された前記識別情報と、前記個別情報の少なくとも一部とを、当該放射線画像検出装置が取得した被写体の前記放射線画像情報に対応付ける処理を行うことを特徴としている。
【００１１】
請求項２記載の発明によれば、放射線画像検出装置は、識別情報と、前記個別情報の少なくとも一部とを、放射線画像情報に対応付ける処理を行っているので、不具合の生じた放射線画像情報に対応する放射線画像検出装置を特定できるだけでなく、個別情報からさらなる要因を認識することが可能となる。
【００１２】
請求項３記載の発明は、請求項２記載の放射線撮影システムにおいて、
前記個別情報は、撮影日時、撮影者、撮影条件、被写体情報の少なくとも１つであることを特徴としている。
【００１３】
請求項３記載の発明によれば、個別情報が、撮影日時、撮影者、撮影条件、被写体情報の少なくとも１つであるので、不具合の生じた放射線画像情報に対応する放射線画像検出装置を特定できるだけでなく、その不具合の生じた撮影日時、撮影者、撮影条件、被写体情報の少なくとも１つをも認識することができる。例えば、放射線画像情報に不具合が生じている場合、撮影日時直前や撮影日時以降に得られたその他の放射線画像情報においても不具合が生じている可能性が高い。このため、不具合の生じた放射線画像情報の撮影日時を特定できれば、その撮影日時直前や撮影日時以降に得られた放射線画像情報への対処も迅速に行うことができる。
【００１４】
請求項４記載の発明は、請求項１〜３のいずれか一項に記載の放射線撮影システムにおいて、
前記放射線画像検出装置は、前記対応付けの処理として、当該放射線画像検出装置の前記個別情報記憶部に記憶された識別情報を、当該放射線画像検出装置による前記放射線画像情報の取得と同時又は取得完了後又は出力時に、前記放射線画像情報の付帯情報とすることを特徴としている。
【００１５】
請求項４記載の発明によれば、対応付けの処理として、放射線画像情報の取得と同時又は取得完了後又は出力時に、識別情報を放射線画像情報の付帯情報としているので、放射線画像情報に付与された付帯情報としての識別情報を調べれば、容易に当該放射線画像情報に対応する放射線画像検出装置を特定することができる。
【００１６】
請求項５記載の発明における放射線画像検出装置は、
被写体の放射線撮影に際し放射線照射手段から照射されて少なくとも前記被写体を透過した放射線を検出し、当該放射線を電気信号に変換して蓄積する平面状の放射線検出部と、
個別情報を記憶する個別情報記憶部と、
当該放射線検出部に蓄積された電気信号を読み出して前記被写体の放射線画像情報を取得する制御部とを備え、
前記個別情報記憶部には、少なくとも前記放射線画像検出装置に個別に付与された識別情報が記憶されており、
前記制御部は、前記個別情報記憶部に記憶された識別情報を、前記放射線画像情報に対応付ける処理を行うことを特徴としている。
【００１７】
請求項５記載の発明によれば、請求項１記載の発明と同等の作用、効果を得ることができる。
【００１８】
請求項６記載の発明は、請求項５記載の放射線画像検出装置において、
前記個別情報記憶部に前記識別情報に加えて前記個別情報が記憶されている場合、前記制御部は、前記個別情報記憶部に記憶された前記識別情報と、前記個別情報の少なくとも一部とを、前記放射線画像情報に対応付ける処理を行うことを特徴としている。
【００１９】
請求項６記載の発明によれば、請求項２記載の発明と同等の作用、効果を得ることができる。
【００２０】
請求項７記載の発明は、請求項６記載の放射線画像検出装置において、
前記個別情報は、撮影日時、撮影者、撮影条件、被写体情報の少なくとも１つであることを特徴としている。
【００２１】
請求項７記載の発明によれば、請求項３記載の発明と同等の作用、効果を得ることができる。
【００２２】
請求項８記載の発明は、請求項５〜７のいずれか一項に記載の放射線画像検出装置において、
前記制御部は、前記対応付けの処理として、前記個別情報記憶部に記憶された識別情報を、前記放射線画像情報の取得と同時又は取得完了後又は出力時に、前記放射線画像情報の付帯情報とすることを特徴としている。
【００２３】
請求項８記載の発明によれば、請求項４記載の発明と同等の作用、効果を得ることができる。
【発明の効果】
【００２４】
本発明によれば、放射線画像情報が通信回線を介して出力されたとしても、出力先で識別情報を調べれば、この放射線画像情報を取得した放射線画像検出装置を特定することができる。このように、撮影により得られた放射線画像情報と、その撮影に用いられた放射線画像検出装置とが識別情報によって対応付けされていれば、放射線画像情報に不具合が生じた場合に、当該放射線画像情報に対応する放射線画像検出装置を早急に特定でき、結果として不具合の対処を迅速に行うことができる。
【００２５】
また、不具合の生じた放射線画像情報に対応する放射線画像検出装置を特定できるだけでなく、個別情報からさらなる要因を認識することが可能となる。個別情報は、撮影日時、撮影者、撮影条件、被写体情報の少なくとも１つであるので、不具合の生じた放射線画像情報に対応する放射線画像検出装置を特定できるだけでなく、その不具合の生じた撮影日時、撮影者、撮影条件、被写体情報の少なくとも１つをも認識することができる。例えば、放射線画像情報に不具合が生じている場合、撮影日時直前や撮影日時以降に得られたその他の放射線画像情報においても不具合が生じている可能性が高い。このため、不具合の生じた放射線画像情報の撮影日時を特定できれば、その撮影日時直前や撮影日時以降に得られた放射線画像情報への対処も迅速に行うことができる。
【発明を実施するための最良の形態】
【００２６】
以下、図面を参照して本発明の実施の形態を詳細に説明する。ただし、発明の範囲は、図示例に限定されない。図１は、本発明を適用した実施形態として例示する放射線撮影システムの概略構成を示す図である。
図１に示すように、放射線撮影システム１００は、放射線画像撮影に関する情報を管理するサーバ１と、被写体ＳにＸ線等の放射線を照射して放射線画像を放射線画像検出装置２にて取得することで放射線撮影を行う放射線画像撮影装置３と、放射線画像撮影装置３がケーブルを介して接続され、放射線画像撮影に関する操作を行う撮影操作装置４と、例えば無線ＬＡＮ（Local Area Network）等の無線通信方式による通信を行うための基地局５と、放射線画像を表示する画像表示装置６と、放射線画像に画像処理を施す画像処理装置７とを備え、これら装置どうしがネットワークＮを介して接続されている。
ここで、ネットワークＮは、当該システム専用の通信回線であってもよいが、システム構成の自由度が低くなってしまう等の理由のため、イーサネット（Ethernet；登録商標）等の既存の回線である方が好ましい。
【００２７】
サーバ１は、例えば、コンピュータで構成されており、図示は省略するが、当該サーバ１を構成する各部を制御する制御部、各種情報や撮影者の指示を入力する入力操作部、及び、各種情報を記憶する外部記憶装置等が設けられている。
制御部は、入力操作部から入力された被写体情報や撮影情報等をそれぞれ対応付けた状態で、外部記憶装置に記憶させるようになっている。被写体情報とは、被写体となる患者Ｓの氏名、年齢、性別、生年月日、患者Ｓを特定するための患者ＩＤ番号等の患者Ｓ自身に関する情報である。また、撮影情報とは、撮影部位（被撮影者の身体上の撮影する部分）、撮影する方向や方法等の撮影を行うために必要な情報である。
【００２８】
放射線画像撮影装置３は、例えば院内の放射線撮影室に設置されて使用されるものであり、放射線源（放射線照射手段）３１を有し、この放射線源３１に管電圧が印加されることによって、放射線を発生するようになっている。放射線源３１の放射線照射口には、放射線照射野を調節する絞り装置３２が、開閉自在に設けられている。放射線源３１の下方であって放射線照射範囲には、患者Ｓを載置させる寝台３３が設けられており、寝台３３の下方には、放射線の強弱を読み取って放射線画像を検出する放射線画像検出装置２を装着する検出装置装着口（図示しない）が設けられている。検出装置装着口の下部には、フォトタイマ３４が設けられており、フォトタイマ３４は、患者Ｓを透過する放射線量を検出し、患者Ｓを透過する放射線量が所定の線量に到達したときに、撮影操作装置４に対して放射線源３１からの放射線の照射を停止させるように信号を送信するようになっている。
【００２９】
以下に、放射線画像検出装置２について、図２を参照して詳細に説明する。ここで、図２は、放射線画像検出装置２の要部構成を示すブロック図である。
【００３０】
放射線画像検出装置２は、例えば、図２に示すように、制御部２１、ＲＡＭ２２、ＲＯＭ２３、平面検出器（放射線検出部）２４、画像メモリ２５、通信部２６、電源部２７等がバスＡによって接続された状態で、カセッテに収容されたカセッテ型ＦＰＤである。
【００３１】
ＲＡＭ（Random Access Memory）２２は、例えば、揮発性の半導体メモリであり、制御部２１により実行される各種プログラムの作業領域（図示略）等を構成している。
【００３２】
ＲＯＭ（Read Only Memory）２３は、読み出し専用のメモリであり、例えば、各種プログラムや、当該放射線画像検出装置２を識別するための識別情報等を含む個別情報が記憶されている。
各種プログラムとしては、平面検出器２４から被写体の放射線画像情報を取得するための取得制御プログラム、取得した放射線画像情報を画像メモリ２５に記憶させるための画像記憶制御プログラム、放射線画像情報に基づいて、画像表示装置６に対して出力される表示用画像情報を生成するための表示用情報生成プログラム、表示用情報生成プログラムによって生成された表示用画像情報と放射線画像情報とを対応付けるための対応付プログラム、放射線画像情報を補正するための放射線画像補正プログラム、表示用画像情報を補正するための表示用画像補正プログラム、放射線画像の補正に係る補正用情報を取得するための補正用情報取得プログラム、放射線画像情報を画像処理装置７に対して送信してもよいか否かを判定するための判定プログラム等が挙げられる。
【００３３】
識別情報とは、ネットワークＮで接続された複数の放射線画像検出装置２のそれぞれを識別するために各放射線画像検出装置のそれぞれに個別に付された重複しない情報のことであり、例えば製造番号や、ＩＤ番号等が挙げられる。つまり、ＲＯＭ２３が本発明に係る識別情報を記憶する個別情報記憶部である。
また個別情報には、識別情報以外にも撮影日時、撮影者、撮影条件、被写体情報などがある。
【００３４】
平面検出器２４は、例えば、ガラス基板等の所定の基板上に、放射線源３１から照射されて少なくとも被写体を透過した放射線をその強度に応じて検出し、検出した放射線を電気信号に変換して蓄積する複数の画素がマトリクス状に配列されたものである。
ここで、平面検出器２４としては、図示は省略するが、例えば、放射線を蛍光（光）に変換する放射線光変換層と、放射線光変換層により変換された蛍光を検出して電気信号に変換する光電変換層とを備える間接型のもの、また、放射線光変換層及び光電変換層に替えて、放射線を直接電気信号に変換する放射線受部を有する放射線電気信号変換層を備える直接型のもの等が挙げられる。
【００３５】
画像メモリ２５は、平面検出器２４に蓄積された電気信号が制御部２１の制御下にて読み取られることで取得された放射線画像情報を記憶するようになっている。具体的には、フラッシュメモリ等の不揮発性メモリから構成されている。この画像メモリ２５の記憶容量は、放射線画像を少なくとも２つ記憶可能な大きさである。なお、記憶容量の上限は、当該放射線撮影システム１００の構成等に応じて適当に設定され、例えば、放射線画像を１０程度記憶可能な大きさである。
【００３６】
通信部２６は、例えば無線ＬＡＮ（Local Area Network）等の無線通信方式により画像表示装置６及び画像処理装置７との間で各種情報の通信を行うものである。この通信部２６は、制御部２１により生成され、所定の画像補正が施された縮小画像情報を画像表示装置６に送信（出力）するようになっている。また、通信部２６は、制御部２１により生成され、画像表示装置６に対して送信される縮小画像情報と画像メモリ２５に記憶された放射線画像情報とを対応付けるためのキー情報を画像表示装置に送信するようになっている。そして、通信部２６は、画像メモリ２５に記憶され、画像補正後（後述）の放射線画像情報を画像処理装置７に対して出力するようになっている。
【００３７】
電源部２７は、放射線画像検出装置２を構成する各部に電源を供給する充電池２７１を有し、当該放射線画像検出装置２の所定位置に設けられた充電用端子（図示略）を介して充電可能に構成されている。
【００３８】
制御部２１は、例えばＣＰＵ（Central Processing Unit）等から構成され、ＲＯＭ２３に格納される所定のプログラムを読み出してＲＡＭ２２の作業領域に展開し、当該プログラムに従って各種処理を実行する。例えば、制御部２１は、取得制御プログラムに従って、平面検出器２４の各画素を構成する例えばＴＦＴ（Thin Film Transistor）等のスイッチング部を制御することで、当該各画素に蓄積された電気信号の読み取りをスイッチングしていき、平面検出器２４に蓄積された全ての電気信号を読み取る。これにより、制御部２１は、平面検出器２４から被写体の放射線画像情報を取得する。
【００３９】
また、制御部２１は、画像記憶制御プログラムに従って、被写体の新たな放射線撮影の前に、取得した放射線画像情報を画像メモリ２５に記憶させる。この際、制御部２１は、ＲＯＭ２３に記憶された当該放射線画像検出装置２の識別情報を取得した後に、当該識別情報を放射線画像情報の付帯情報にすることで対応付けの処理を行い、その後、画像メモリ２５に記憶させている。
ここで、ＲＯＭ２３に識別情報以外の個別情報が記憶されている場合には、制御部２１は、その個別情報の少なくとも一部と識別情報とを対応付ける処理を行って、画像メモリ２５に記憶するようになっている。本実施形態では、個別情報としての撮影日時がＲＯＭ２３に記憶されている場合を例示する。この場合、撮影日時と識別情報とが放射線画像情報の付帯情報として、対応付けられるようになっている。なお、本実施形態では撮影日時のみが識別情報に対応付けされる場合を例示しているが、その他の個別情報（例えば、撮影者、撮影条件、被写体情報）を対応づけしても構わない。
【００４０】
さらに、制御部２１は、放射線画像情報を取得する毎に、表示用情報生成プログラムに従って、取得した放射線画像情報に基づいて、画像表示装置６に対して出力される表示用画像情報を生成する。具体的には、制御部２１は、表示用画像情報として、放射線画像情報よりも情報量の少ない縮小画像情報を生成するようになっている。この縮小画像の縮小率は、例えば、原画像に対して各辺の長さが１／２〜１／１００倍となる程度（画素数が１／４〜１／１００００倍となる程度）が好ましく、１／４〜１／２５００倍となる程度がより好ましい。そして、このように放射線画像情報を基にして生成された表示用画像情報においても、上述した放射線画像情報の付帯情報が付与されている。
ここで、制御部２１による表示用画像の生成は、画像メモリ２５に対する放射線画像情報の記憶前に行われてもよいし、放射線画像情報の記憶後に行われてもよい。
さらに、制御部２１は、対応付プログラムに従って、制御部２１により生成された表示用画像情報と画像メモリ２５に記憶された放射線画像情報とを対応付けるためのキー情報（対応付情報）を生成する。
【００４１】
また、制御部２１は、放射線画像補正プログラムに従って、取得された放射線画像情報を補正したり、表示用画像補正プログラムに従って、生成された表示用画像情報を補正したりする。具体的には、本実施の形態にあっては、平面検出器２４を構成するａ−Ｓｉ（アモルファス・シリコン）等の半導体に時間の経過に応じて蓄積される暗電流を補正するＦＰＮ（Fixed Pattern Noise）補正や、平面検出器２４の画素毎のゲインのバラツキを補正する白補正（ゲイン補正）等を行う。これら画像補正にあっては、制御部２１は、補正用情報取得プログラムに従って、放射線画像の補正に係る補正用情報を取得、具体的には、例えば、ＦＰＮ補正にあっては暗電流信号（ＦＰＮ信号）を取得し、また、白補正にあっては白画像データを取得するようになっている。
以下に、ＦＰＮ補正及び白補正について、さらに詳細に説明する。
【００４２】
ＦＰＮ補正とは、具体的には、撮影で得られた画像信号から当該画像信号の中に含まれ、ノイズとなるＦＰＮ信号を取り除くことにより、真の画像信号を得る画像補正である。ここで、ＦＰＮ信号は、一般に温度及び蓄積時間の関数であり、さらに、撮影部位・被写体毎に撮影時間は異なることから、ＦＰＮ補正を行う上で、一回の撮影毎に平面検出器２４の蓄積時間を計測して、撮影後に、計測された蓄積時間と略等しい時間だけ平面検出器２４にＸ線を照射しない状態で暗電流を蓄積させる。その後、平面検出器２４から信号を読み出すことにより、撮影画像に含まれるＦＰＮ信号と略等しいＦＰＮ画像信号を得る。このＦＰＮ画像信号を、被写体を撮影することで得た画像信号から減算することにより、真の画像信号を得ることができる。
また、白補正にあっては、先ず、例えばＦＰＮ補正後にＬｏｇ（対数）変換された画像信号から白画像データ（Ｌｏｇ値）を減算する。ここで、白画像データは、被写体を介さずに平面検出器２４全体に一様な放射線を照射することにより取得される画像データであり、取得された白画像データは、所定の記憶手段に記憶される。なお、白画像データの取得は、例えば毎朝又は一週間に一度等、定期的に行われるようになっている。
【００４３】
また、制御部２１は、判定プログラムに従って、画像表示装置６の通信部６６から送信され当該放射線画像検出装置２の通信部２６を介して受信した撮影適否信号に基づいて、画像メモリ２５に記憶された放射線画像情報を画像処理装置７に対して送信してもよいか否かを判定する。より具体的には、制御部２１は、撮影適否信号及び当該撮影適否信号に係るキー情報に基づいて、画像メモリ２５に記憶された複数の放射線画像情報のうち、キー情報に対応付けられた放射線画像情報を画像処理装置７に対して送信してもよいか否かを判定するようになっている。
【００４４】
画像表示装置６は、放射線撮影が適正に行われたか否かを撮影者が確認するために、放射線画像検出装置２にて撮影された放射線画像を表示するものであり、図３に示すように、制御部６１、ＲＡＭ６２、ＲＯＭ６３、表示部６４、操作入力部６５、通信部６６、電源部６７等を備えて構成されており、各部はバスＢにより接続されている。
ここで、図３は、画像表示装置６の要部構成を示すブロック図である。
【００４５】
制御部６１は、例えば、ＣＰＵ等から構成され、ＲＯＭ６３に格納される所定のプログラムを読み出してＲＡＭ６２の作業領域に展開し、当該プログラムに従って各種処理を実行する。
ＲＡＭ６２は、例えば、揮発性の半導体メモリであり、制御部６１により実行される各種プログラムの作業領域（図示略）等を構成している。また、ＲＡＭ６２は、放射線画像検出装置２の通信部２６から出力され入力された複数の表示用画像情報としての縮小画像情報を記憶するようになっている。
ＲＯＭ６３は、読み出し専用のメモリであり、制御部６１により実行される各種プログラムを記憶している。
【００４６】
表示部６４は、例えば、ＣＲＴ（Cathode Ray Tube）やＬＣＤ（Liquid Crystal Display）等を備えて構成され、制御部６１から出力され入力される表示信号の指示に従って、各種画面を表示する。具体的には、表示部６４は、放射線画像検出装置２から送信され通信部６６を介して受信された複数の縮小画像情報に基づいて、複数の縮小画像をサムネイル表示可能に構成されている。
また、表示部６４は、縮小画像の表示の際に、例えば、各縮小画像と対応付けて撮影適否信号の入力を指示するための撮影適否指示部を表示するようになっている。この撮影適否指示部は、例えば、操作入力部６５のマウス等の所定操作に基づいて選択可能となるように表示されるものである。
【００４７】
操作入力部６５は、例えば、キーボードやマウス等から構成されており、キーボードで押下操作されたキーの押下信号やマウスによる操作信号とを入力信号として制御部６１に対して出力する。具体的には、操作入力部６５は、所定操作に基づいて放射線画像の表示指示に係る画像表示指示信号を制御部６１に対して出力（入力）する。また、操作入力部６５は、表示部６４に表示された縮小画像に対応する撮影適否指示部が当該操作入力部６５の所定操作により選択指示されることに基づいて、放射線画像の撮影状態が適正であるか否かに係る撮影適否信号を制御部６１に対して出力（入力）するように構成されている。
また、操作入力部６５は、表示部６４の表示画面を覆う透明なシートパネルに、指又は専用のスタイラスペンで触れることにより入力される位置情報を入力信号として制御部６１に出力する、所謂、タッチパネルにより構成されてもよい。
【００４８】
通信部６６は、例えば無線ＬＡＮ等の無線通信方式により放射線画像検出装置２の通信部２６との間で各種情報の通信を行うものである。具体的には、通信部６６は、放射線画像検出装置２の通信部２６から送信された縮小画像情報及びキー情報を受信する。また、通信部６６は、操作入力部６５により入力された撮影適否信号と、当該撮影適否信号に係る縮小画像情報に対応付けられたキー情報とを放射線画像検出装置２に対して送信する。
【００４９】
電源部６７は、画像表示装置６を構成する各部に電源を供給するものである。この電源部６７は、例えば、所定の充電用端子（図示略）を介して充電可能に構成された充電池を備える構成であってもよいし、交流商用電源に接続するための電源接続部を備える構成であってもよい。
【００５０】
画像処理装置７は、院内のコントロールルーム等に設置され、放射線画像に対して所定の画像処理を施すものであり、図４に示すように、制御部７１、ＲＡＭ７２、ＲＯＭ７３、表示部７４、操作入力部７５、通信部７６、電源部７７、画像記憶部ＤＢ等を備えて構成されており、各部はバスＣにより接続されている。
ここで、図４は、画像処理装置７の要部構成を示すブロック図である。
【００５１】
制御部７１は、例えば、ＣＰＵ等から構成され、ＲＯＭ７３に格納される所定のプログラムを読み出してＲＡＭ７２の作業領域に展開し、当該プログラムに従って各種処理を実行する。具体的には、制御部７１は、画像処理プログラムに従って、放射線画像検出装置２の通信部２６から送信され通信部７６を介して受信した放射線画像情報に基づいて、当該放射線画像情報に係る放射線画像の階調処理やγ変換処理等の所定の画像処理を行う。
【００５２】
ＲＡＭ７２は、例えば、揮発性の半導体メモリであり、制御部７１により実行される各種プログラムの作業領域（図示略）等を構成している。
ＲＯＭ７３は、読み出し専用のメモリであり、制御部７１により実行される各種プログラム、例えば画像処理プログラムを記憶している。
【００５３】
画像記憶部ＤＢは、例えば、ハードディスクドライブ等を備えて構成され、制御部７１の制御下にて所定の画像処理が施された放射線画像に係る放射線画像情報を記憶する画像データベースを構成している。
【００５４】
通信部７６は、例えば無線ＬＡＮ等の無線通信方式により放射線画像検出装置２との間で各種情報の通信を行うものであり、具体的には、放射線画像検出装置２の通信部２６から出力された放射線画像情報を受信する。
【００５５】
表示部７４及び操作入力部７５は、上記の画像表示装置６に備わる表示部６４及び操作入力部６５と略等しい構成となっている。
また、電源部７７は、画像処理装置７を構成する各部に電源を供給するものである。
【００５６】
次に、放射線撮影システム１００における放射線画像の撮影処理について、図５を参照して説明する。
ここで、図５は、放射線撮影システム１００による撮影処理に係る動作の一例を示すフローチャートである。
【００５７】
先ず、放射線撮影室内において、放射線源３１から被写体に対して放射線を照射して、放射線画像検出装置２を用いて被写体の放射線撮影を行う（ステップＳ１）。
具体的には、サーバ１は、撮影操作装置４に対して被写体情報や撮影情報を送信する。すると、撮影操作装置４は、受信した撮影情報に含まれる管電圧値、線量及び照射野絞り値に基づいて、放射線画像撮影装置３の放射線源３１、フォトタイマ３４及び絞り装置３２を制御し、放射線画像撮影装置３は、これらの条件下で放射線を患者Ｓに対して照射する。
このとき、寝台３３の下方に装着されている放射線画像検出装置２の平面検出器２４にて被写体Ｓを透過した放射線を検出して、電気信号に変換して当該平面検出器２４の各画素に蓄積する。
【００５８】
次に、放射線画像検出装置２の制御部２１は、平面検出器２４から被写体の放射線画像情報を取得する（ステップＳ２）。具体的には、制御部２１は、ＲＯＭ２３から取得制御プログラムを読み出してＲＡＭ２２に展開し、この取得制御プログラムに従って、平面検出器２４の各画素のスイッチング部を制御して、当該各画素に蓄積された電気信号の読み取りをスイッチングしていき、平面検出器２４に蓄積された全ての電気信号を読み取る。
続けて、制御部２１は、ＲＯＭ２３から放射線画像補正プログラムを読み出してＲＡＭ２２に展開し、この放射線画像補正プログラムに従って、取得した放射線画像情報に対して所定の画像補正を施す原画像の補正処理を行う（ステップＳ３）。
その後、制御部２１は、ＲＯＭ２３から画像記憶制御プログラムを読み出してＲＡＭ２２に展開し、この画像記憶制御プログラムに従って、補正後の放射線画像情報及び付帯情報を画像メモリ２５に記憶させる（ステップＳ４）。
【００５９】
次に、制御部２１は、ＲＯＭ２３から表示用情報生成プログラムを読み出してＲＡＭ２２に展開し、この表示用情報生成プログラムに従って、取得した放射線画像情報に基づいて、画像表示装置６に対して出力される表示用画像として、放射線画像情報よりも情報量の少ない縮小画像情報を生成する（ステップＳ５）。
続けて、制御部２１は、ＲＯＭ２３から表示用画像補正プログラムを読み出してＲＡＭ２２に展開し、この表示用画像補正プログラムに従って、縮小画像情報に対して所定の画像補正を施す（ステップＳ６）。
なお、上記の縮小画像情報の生成及び補正は、当該放射線画像検出装置２による放射線画像情報の取得毎に行われるようになっている。
【００６０】
次に、制御部２１は、ＲＯＭ２３から対応付プログラムを読み出してＲＡＭ２２に展開し、この対応付プログラムに従って、画像表示装置６に送信される縮小画像情報と画像メモリ２５に記憶された放射線画像情報とを対応付けるためのキー情報を生成する（ステップＳ７）。
【００６１】
その後、制御部２１は、通信部２６を制御して、生成された縮小画像情報、付帯情報及び当該縮小画像情報に対応するキー情報を画像表示装置６に対して送信させる（ステップＳ８）。
【００６２】
画像表示装置６では、放射線画像検出装置２の通信部２６から送信された縮小画像情報及びキー情報を、通信部６６を介して受信すると、当該画像表示装置６の制御部６１は、受信した縮小画像情報及びキー情報をＲＡＭ６２の所定領域に格納する（ステップＳ９）。
その後、操作入力部６５の操作に基づいて、ＲＡＭ６２に格納された縮小画像情報の表示指示に係る画像表示指示信号が入力されると、制御部６１は、画像表示指示信号に対応する複数の縮小画像情報をＲＡＭ６２から取得して、取得した縮小画像情報に基づく複数の縮小画像を表示部６４にサムネイル表示させる（ステップＳ１０）。具体的には、制御部６１は、表示部６４の所定位置に、複数の縮小画像とこれら縮小画像の各々と対応付けられた撮影適否指示部を表示させるようになっている。この際、各縮小画像には、その縮小画像情報に付与されていた付帯情報が関連づけて表示されている。
そして、表示部６４に表示された撮影適否指示部が撮影者による操作入力部６５の所定操作に基づいて選択指示されることにより、選択された撮影適否指示部に係る放射線画像の撮影状態が適正であるか否かに係る撮影適否信号が制御部６１に対して入力される（ステップＳ１１）。
制御部６１は、撮影適否信号が入力される毎に、入力された撮影適否信号をＲＡＭ６２の情報格納領域に一旦格納させる。
なお、通信部６６を介して受信したキー情報は、例えば、ＲＡＭ６２内の所定の格納領域に格納されるようになっている。
【００６３】
その後、例えば撮影者による操作入力部６５の操作に従って撮影適否信号の放射線画像検出装置２に対しての送信が指示されると、制御部６１は、送信指示された撮影適否信号及びこの撮影適否信号に対応するキー情報をＲＡＭ６２から読み出した後、通信部６６を制御して、放射線画像検出装置２に対して送信させる（ステップＳ１２）。
【００６４】
そして、放射線画像検出装置２では、画像表示装置６の通信部６６から送信され通信部２６を介して撮影適否信号及びキー情報を受信すると、制御部２１は、ＲＯＭ２３から判定プログラムを読み出してＲＡＭ２２に展開し、この判定プログラムに従って、各撮影適否信号及びキー情報に基づいて、画像メモリ２５に記憶された複数の放射線画像情報のうち、キー情報に対応付けられた放射線画像情報を画像処理装置７に対して送信してもよいか否かを判定する（ステップＳ１３）。具体的には、制御部２１は、撮影適否信号として放射線画像の撮影状態が適正であるという情報を含む信号が入力された場合に、放射線画像情報を送信してもよいと判定する一方で、撮影適否信号として放射線画像の撮影状態が不適正であるという情報を含む信号が入力された場合に、放射線画像情報を送信する必要がないと判定するようになっている。
ここで、放射線画像情報を画像処理装置７に対して送信してもよいと判定されると（ステップＳ１３；ＹＥＳ）、制御部２１は、画像メモリ２５から放射線画像情報を取得して、取得した放射線画像情報を通信部２６から画像処理装置７に対して送信させる（ステップＳ１４）。
【００６５】
画像処理装置７では、放射線画像検出装置２の通信部２６から送信された放射線画像情報を、通信部７６を介して受信すると、当該画像処理装置７の制御部７１は、ＲＯＭ７３から画像処理プログラムを読み出してＲＡＭ７２に展開し、この画像処理プログラムに従って、受信した放射線画像情報に基づいて、当該放射線画像情報に係る放射線画像の階調処理やγ変換処理等の所定の画像処理を行う（ステップＳ１５）。
その後、制御部７１は、画像処理後の放射線画像情報を画像記憶部ＤＢの所定領域に記憶させる（ステップＳ１６）。
【００６６】
なお、ステップＳ１３にて、放射線画像情報を画像処理装置７に対して送信する必要がいと判定された場合には（ステップＳ１３；ＮＯ）、制御部２１は、当該放射線画像検出装置２の各部を制御して放射線画像の再撮影の受付状態に移行する（ステップＳ１７）。
ここで、制御部２１は、画像処理装置７に対して送信する必要のない放射線画像情報をデータ消去するような構成であってもよい。
【００６７】
以上のように、本実施形態の放射線撮影システム１００によれば、放射線画像検出装置２は、当該放射線画像検出装置２のＲＯＭ２３に記憶される識別情報を、放射線画像情報の付帯情報として対応付けの処理を行っているので、放射線画像情報が通信回線を介して画像処理装置７に出力されたとしても、画像処理装置７で識別情報を調べれば、この放射線画像情報を取得した放射線画像検出装置２を特定することができる。このように、撮影により得られた放射線画像情報と、その撮影に用いられた放射線画像検出装置２とが識別情報によって対応付けされていれば、放射線画像情報に不具合が生じた場合に、当該放射線画像情報に対応する放射線画像検出装置２を早急に特定でき、結果として不具合の対処を迅速に行うことができる。
さらに、放射線画像検出装置２は、放射線画像情報の識別情報を表示用画像情報に付与しているので、画像表示装置６で表示された放射線画像に不具合が生じていたとしても、その放射線画像の基になった表示用画像情報の付帯情報を調べれば、当該放射線画像の撮影に用いられた放射線画像検出装置２を容易に特定することができる。このように、撮影により得られた放射線画像と、その撮影に用いられた放射線画像検出装置２とが識別情報によって関連づけされていれば、放射線画像に不具合が生じた場合に、当該放射線画像に対応する放射線画像検出装置２を早急に特定でき、結果として不具合の対処を迅速に行うことができる。
また、識別情報とともに撮影日時が放射線画像情報の付帯情報とされているので、放射線画像情報に不具合が生じていたとしても、その放射線画像情報の付帯情報を調べれば、当該放射線画像情報の取得に用いられた放射線画像検出装置２と、その撮影日時を容易に特定することができる。放射線画像情報に不具合が生じている場合、撮影日時直前や撮影日時以降に得られたその他の放射線画像情報においても不具合が生じている可能性が高い。このため、不具合の生じた放射線画像情報の撮影日時を特定できれば、その撮影日時直前や撮影日時以降に得られた放射線画像情報への対処も迅速に行うことができる。
【００６８】
なお、本発明は上記実施形態に限らず適宜変更可能であるのは勿論である。
例えば、本実施形態では、放射線画像検出装置２として、画像表示装置６及び画像処理装置７等と無線通信方式により各種情報の通信を行う構成のものを例示したが、これに限られるものではなく、画像表示装置６及び画像処理装置７等と所定のケーブルを用いて接続し、これら各装置と通信を行うような構成のものであってもよい。
また、本実施形態では、画像表示装置６の表示部６４を、放射線画像としての縮小画像を複数表示する構成としたが、これに限られるものではなく、少なくとも一つの表示用画像情報に基づいて放射線画像を表示可能な構成であればよい。
さらに、本実施形態では、放射線画像検出装置２、画像表示装置６及び画像処理装置７に係る機能は、集積回路からなる中央処理装置（ＣＰＵ）によって、所定のプログラム等が実行されることにより実現される構成としたが、これに限られるものではなく、例えば、各種機能を実現するためのロジック回路から構成されてもよい。
【００６９】
そして、本実施形態では、識別情報と放射線画像情報との対応付けの処理が、放射線画像情報の取得後に行われている場合を例示して説明したが、対応付けの処理は放射線画像情報の取得と同時であってもよく、さらには放射線画像情報の出力時であっても構わない。
【図面の簡単な説明】
【００７０】
【図１】本発明を適用した実施形態として例示する放射線撮影システムの概略構成を示す図である。
【図２】図１の放射線撮影システムを構成する放射線画像検出装置の要部構成を示すブロック図である。
【図３】図１の放射線撮影システムを構成する画像表示装置の要部構成を示すブロック図である。
【図４】図１の放射線撮影システムを構成する画像処理装置の要部構成を示すブロック図である。
【図５】図１の放射線撮影システムによる撮影処理に係る動作の一例を示すフローチャートである。
【符号の説明】
【００７１】
２      放射線画像検出装置
２１    制御部
２３    ＲＯＭ（個別情報記憶部）
２４    平面検出器（放射線検出部）
３１    放射線源（放射線照射手段）
６      画像表示装置
７      画像処理装置
１００  放射線撮影システム
【図１】
2006087682.tif 000003
【図２】
2006087682.tif 000004
【図３】
2006087682.tif 000005
【図４】
2006087682.tif 000006
【図５】
2006087682.tif 000007